(57)【要約】【課題】機密保持性を損なうことなく異常画像を忠実に再現でき、異常画像の修復に迅速に対処できる画像形成装置を提供する。【解決手段】画像入力部２１０に入力された印刷画像データは、通常の画像形成と並行して画像改竄部２２０で文字領域の文字データが改竄され、改竄された印刷画像データは、データ蓄積部２３０に蓄積される。異常画像の発生時、顧客の操作部２４０による操作により改竄画像データ（異常画像サンプル）が印刷され、読取りにかけられる。改竄画像データや読取りデータ等がファイル化されて通信部２７０よりインターネットを介してコールセンターの保守管理サーバーに配信される。コールセンターで解析がなされ、可能な場合には遠隔制御により画像形成装置１００の修復がなされる。【選択図】図１
2015085533.tif 000002
【特許請求の範囲】
【請求項１】
異常画像が発生したときに、異常画像の発生原因を解析するための異常画像サンプルを出力する画像形成装置において、
少なくとも機密性を要する部分を改竄して原稿画像データを処理する画像データ改竄手段と、
前記画像データ改竄手段により処理された前記原稿画像データを印刷ジョブ毎に蓄積する画像データ蓄積手段と、
印刷ジョブ毎に印刷条件設定値を蓄積する条件データ蓄積手段と、
を備え、
異常画像が発生した場合、所定の操作により、前記画像データ蓄積手段から異常画像の発生元となった原稿画像データを呼び出すとともに、前記条件データ蓄積手段から、呼び出した原稿画像データに対応した印刷条件設定値を呼び出し、
呼び出した原稿画像データと印刷条件設定値とにより異常画像サンプルを出力することを特徴とする画像形成装置。
【請求項２】
請求項１に記載の画像形成装置において、
出力された前記異常画像サンプルを読取る読取り手段と、
前記読取り手段によって読取られた前記異常画像サンプルのデータを異常画像サンプルデータとして保存するサンプルデータ保存手段と、
を有していることを特徴とする画像形成装置。
【請求項３】
請求項２に記載の画像形成装置において、
前記条件データ蓄積手段が前記サンプルデータ保存手段を兼ねることを特徴とする画像形成装置。
【請求項４】
請求項１〜３のいずれか１つに記載の画像形成装置において、
前記条件データ蓄積手段に、前記印刷条件設定値と共にログデータを蓄積することを特徴とする画像形成装置。
【請求項５】
請求項１〜４のいずれか１つに記載の画像形成装置において、
前記画像データ改竄手段により、前記原稿画像データの中の文字領域のみを改竄することを特徴とする画像形成装置。
【請求項６】
請求項１〜５のいずれか１つに記載の画像形成装置において、
前記各データ及び設定値を、ネットワークを介して外部に送信可能であることを特徴とする画像形成装置。
【請求項７】
請求項６に記載の画像形成装置において、
前記ネットワークを介して外部から異常画像の原因を修復するためのリモートメンテナンス手段を有していることを特徴とする画像形成装置。
【請求項８】
画像形成装置にて、
少なくとも機密性を要する部分を改竄して原稿画像データを印刷ジョブ毎に蓄積するとともに、印刷ジョブ毎に印刷条件設定値を蓄積し、
異常画像が発生した場合、蓄積された原稿画像データの中から異常画像の発生元となった原稿画像データを呼び出すとともに、呼び出した原稿画像データに対応した印刷条件設定値を呼び出し、
呼び出した原稿画像データと印刷条件設定値とにより異常画像サンプルを出力することを特徴とする異常画像サンプルの出力方法。
【発明の詳細な説明】
【技術分野】
【０００１】
本発明は、複写機、プリンタ、ファクシミリ、プロッタ、これらのうち少なくとも１つを備えた複合機等の画像形成装置及び異常画像サンプルの出力方法に関する。
【背景技術】
【０００２】
画像形成装置における異常画像の発生時、対応を迅速かつ正確に実施するため、インターネットを介して異常画像サンプルをスキャナ等で読取ったものを不良サンプルとして保守区であるコールセンターに転送している。
コールセンターでは、転送された異常画像サンプルを見ながら要因を解析し、遠隔制御で修復可能な場合は遠隔制御で修復し、遠隔制御で修復できない場合は担当のカスタマエンジニア(以下「ＣＥ」と略す)に的確な修復方法を連絡する技術が考えられ既に実施されている。
【０００３】
特許文献１には、画像不良（異常画像）が発生してユーザーから通報が入ると、コントロールセンターがユーザーの画像形成装置にテストパターンを出力する指令を送信し、テストパターンを出力させるリモートメンテナンスシステムが開示されている。
ユーザーは出力されたテストパターンを読取り装置にかけ、読取られたデータがコントロールセンターに送信され、送信結果に基づいて画像不良の解析がなされて画像不良を解消するためのデータが画像形成装置へ送られる。
テストパターンは、顧客からの通報の内容に応じてコントロールセンターが階調パターン、ハーフトーン画像、横縞パターン等を選択できるようになっている。
【０００４】
このような異常画像の解析・修復では、印刷物に機密保持を要する場合、異常画像が発生したサンプルをそのまま解析対象としたり、データ化して送信したりすると、第三者にその内容が開示されることになる。
すなわち、顧客データの漏洩につながる虞がある。
この問題に対処すべく、従来においては、オリジナル原稿の代わりに「診断チャート」とか「テストチャート」を使用した印刷サンプルの出力で代用していた。
特許文献１では機密保持の目的は有していないが、テストパターンとして出力することにより、結果的に顧客情報の漏洩が防止されている。
【発明の概要】
【発明が解決しようとする課題】
【０００５】
しかしながら、印刷原稿自体が異常画像の要因となるケースも存在する。
すなわち、印刷原稿におけるレイアウトやフォント等の印刷条件が要因となって異常画像が発生するケースもある。
このような場合、「診断チャート」とか「テストチャート」を使用すると、顧客の指摘する異常画像が正確に再現できず、原因特定に時間がかかって修復が大幅に遅れる等の問題があった。
【０００６】
本発明は、このような現状に鑑みて創案されたもので、機密保持性を損なうことなく異常画像を忠実に再現でき、異常画像の修復に迅速に対処できる画像形成装置の提供を、その主な目的とする。
【課題を解決するための手段】
【０００７】
上記目的を達成するために、本発明は、異常画像が発生したときに、異常画像の発生原因を解析するための異常画像サンプルを出力する画像形成装置において、少なくとも機密性を要する部分を改竄して原稿画像データを処理する画像データ改竄手段と、前記画像データ改竄手段により処理された前記原稿画像データを印刷ジョブ毎に蓄積する画像データ蓄積手段と、印刷ジョブ毎に印刷条件設定値を蓄積する条件データ蓄積手段と、を備え、異常画像が発生した場合、所定の操作により、前記画像データ蓄積手段から異常画像の発生元となった原稿画像データを呼び出すとともに、前記条件データ蓄積手段から、呼び出した原稿画像データに対応した印刷条件設定値を呼び出し、呼び出した原稿画像データと印刷条件設定値とにより異常画像サンプルを出力することを特徴とする。
【０００８】
また、本発明は、異常画像サンプルの出力方法において、画像形成装置にて、少なくとも機密性を要する部分を改竄して原稿画像データを印刷ジョブ毎に蓄積するとともに、印刷ジョブ毎に印刷条件設定値を蓄積し、異常画像が発生した場合、蓄積された原稿画像データの中から異常画像の発生元となった原稿画像データを呼び出すとともに、呼び出した原稿画像データに対応した印刷条件設定値を呼び出し、呼び出した原稿画像データと印刷条件設定値とにより異常画像サンプルを出力することを特徴とする。
【発明の効果】
【０００９】
本発明によれば、機密保持性を損なうことなく異常画像を忠実に再現でき、異常画像の修復に迅速に対処でき、ユーザー側のダウンタイムの抑制に寄与することができる。
【図面の簡単な説明】
【００１０】
【図１】本発明の一実施形態に係る画像形成装置の要部を示す制御ブロック図である。
【図２】画像改竄装置の構成図である。
【図３】原稿画像データとしての異常画像サンプルの一例を示す図である。
【図４】文字変換テーブルの一例を示す図である。
【図５】文字領域改竄後の画像データを示す図である。
【図６】文字領域改竄後の異常画像サンプルを示す図である。
【図７】データ蓄積装置の構成図である。
【図８】印刷ジョブ毎のログデータの蓄積処理を示すフローチャートである。
【図９】異常画像発生時、顧客が画像サンプルを送信する手順を示すフローチャートである。
【図１０】画像形成装置としてのカラー複写機の概要構成図である。
【発明を実施するための形態】
【００１１】
以下、本発明の実施形態を図を参照して説明する。
まず、図１０に基づいて、本実施形態に係る画像形成装置としてのカラー複写機１００の構成の概要を説明する。
カラー複写機１００は、装置本体１０１と、装置本体１０１の上面に設けられた読取り手段としてのスキャナー１０２と、該スキャナー１０２の上部に設けられた原稿自動搬送装置（ＡＤＦ）１０３を有している。
装置本体１０１の下部には、複数の給紙カセット１０４ａ、１０４ｂ、１０４ｃ、１０４ｄを備えた給紙部１０４が設けられている。
装置本体１０１の略中央部には、中間転写体としての無端状の中間転写ベルト１０５が配置されている。
【００１２】
中間転写ベルト１０５は、複数の支持ローラ１０６、１０７、１０８等に掛け回されて支持されており、図示しない駆動源により図中時計回りに方向に回転駆動される。
支持ローラ１０８の近傍には、２次転写後に中間転写ベルト１０５上に残留する残留トナーを除去する中間転写体クリーニング装置１０９が設けられている。
支持ローラ１０６と支持ローラ１０７間に張り渡された中間転写ベルト１０５上には、その搬送方向に沿って、イエロー（Ｙ）、マゼンタ（Ｍ）、シアン（Ｃ）、ブラック（Ｋ）の４つの画像形成手段としてのプロセスカートリッジ１２Ｙ、１２Ｍ、１２Ｃ、１２Ｋが横に並べられて配置され、タンデム型の画像形成部１０が構成されている。
但し、これら４つの色順は一例であり、これに限定される趣旨ではない。
各プロセスカートリッジ１２Ｙ、１２Ｍ、１２Ｃ、１２Ｋは、それぞれ像担持体としての感光体ドラム１Ｙ、１Ｍ、１Ｃ、１Ｋを有している。
【００１３】
画像形成部１０の上方には、露光装置８が配置されている。
中間転写ベルト１０５を挟んで支持ローラ１０８と反対の側には、２次転写手段としての二次転写ローラ１１０が配置されている。
二次転写ローラ１１０により中間転写ベルト１０５上の画像が、給紙部１０４から給紙され記録媒体としての用紙に最終的に転写される。
二次転写ローラ１１０の左側には、用紙上の転写画像を定着する定着装置１１１が設けられている。定着装置１１１は、無端ベルト状の定着ベルト１１１ａに加圧ローラ１１１ｂを押し当てる構成を有している。
定着装置１１１の下方には、上述した画像形成部１０と略平行に、用紙の両面に画像を記録する場合に用紙を反転する用紙反転装置１１２が備えられている。
【００１４】
感光体ドラム１上に形成された各色のトナー像は、転写ローラ６にて中間転写ベルト１０５上に重ねて転写される。
給紙部１０４から給紙され、あるいは手差しトレイ１１３から給紙された用紙上に二次転写ローラ１１０により重ねトナー像（カラー画像）が一括転写される。
感光体ドラム１上に残存するトナー粒子は、クリーニング装置４によって清掃され、回収される。
画像転写後の用紙は、定着装置１１１へと送り込まれ、ここで熱と圧力を加えられて転写画像を定着された後、排紙ローラ対１１５により排紙トレイ１１６上にスタックされる。
【００１５】
あるいは、図示しない切換爪で搬送路を切り換えられて用紙反転装置１１２に入れられ、そこで反転されて再び転写位置へと導かれ、裏面にも画像を記録された後、排紙ローラ対１１５により排紙トレイ１１６上に排出される。
画像転写後の中間転写ベルト１０５は、中間転写体クリーニング装置１０９により残留トナーを除去され、画像形成部１０による再度の画像形成に備える。
画像形成装置としては、上述の型中間転写方式のものに限定される趣旨ではなく、複数のトナー像を順次用紙上に重ねて転写した後定着する直接転写方式等であってもよい。
【００１６】
図１は、画像形成装置１００における制御系統の中で、本発明の特徴部分に係る機能を表したブロック図である。
画像形成装置１００では、画像入力部２１０に入力された原稿画像データとしての印刷画像データは、通常の画像形成と並行して画像データ改竄手段としての画像改竄部２２０で文字領域の文字データが改竄される。
改竄された印刷画像データは、画像データ蓄積手段としてのデータ蓄積部２３０に蓄積される。
データ蓄積部２３０には、印刷（出力）時の印刷条件設定値とログデータが印刷ジョブデータとして同時に蓄積される。この場合、データ蓄積部２３０は条件データ蓄積手段として機能する。
【００１７】
異常画像発生時、顧客はコールセンターに知らせるため、所定の操作として、操作部２４０から「画像サンプルを添付してコールセンターへ通報」を選択する。
顧客による所定の操作がなされると、図示しない制御部（ＣＰＵ、ＲＯＭ、ＲＡＭ、Ｉ／Ｏインターフェース等を含む）は、データ蓄積部２３０から、異常画像の発生元となった改竄画像データと、これに対応する印刷ジョブデータの印刷条件設定値とを呼び出す。
呼び出されたデータ及び設定値は、画像形成部２５０に送られ、異常画像が発生した時と同じ印刷条件で改竄画像を異常画像サンプル（以下、単に「画像サンプル」ともいう）として印刷する。
画像形成部２５０からの画像形成開始信号により画像形成部１０が動作する。
【００１８】
顧客は、操作部２４０の表示による指示通り、印刷した異常画像サンプルをＡＤＦ１０３の原稿台にセットし、「通報開始」を選択する。
異常画像サンプルはスキャナー１０２で読取られ、その読取りデータは画像読取り部２６０に送られる。
異常画像サンプルの読取りデータも異常画像サンプルデータとしてデータ蓄積部２３０に保存される。この場合、データ蓄積部２３０はサンプルデータ保存手段として機能する。
同時に同じくデータ蓄積部２３０に蓄積されている当該改竄画像データ、および印刷時データ（印刷条件設定値とログデータ）と共にファイルとして通信部２７０からネットワークとしてのインターネットを介してコールセンターの保守管理サーバーに配信される。
すなわち、ネットワークを介して外部に送信可能となっている。
【００１９】
保守管理サーバーに配信されると、コールセンターの担当者に着信通知が届き、担当者は受信した画像サンプルと原稿である改竄画像とを比較することにより、異常画像の現象を確認し、印刷時データを参照することにより迅速で的確な異常画像の発生原因の解析が可能となる。
遠隔制御で修復可能なものは遠隔制御で処理することにより、画像形成装置のダウンタイムを削減すると共にＣＥの訪問を回避する手段となり得る。
遠隔制御で処理する場合には、コールセンターから修復のためのデータが画像形成装置１００の図示しないリモートメンテナンス手段へ送信され、自動的に修復動作が実行される。
遠隔制御で処理できない場合でも、担当ＣＥに的確な対応方法を指示することにより短時間に修復が可能となる。
【００２０】
本実施形態ではスキャナによる読取り機能が必要であるため、スキャナ機能を持たないプリンタでは遠隔制御による運用はできない。
しかしながら、印刷物の内容の機密性を保持しながら顧客の指摘する異常画像を再現して印刷できるので、ＣＥ訪問時の対応にも有効である。
【００２１】
図２に基づいて、画像改竄部２２０（画像改竄装置）の構成・機能について詳細に説明する。
画像入力部２１０に入力された印刷画像データは、通常の画像形成と並行して画像データを改竄するため画像改竄装置２２０の画像データ入力部３１０を経由して文字認識部３２０に送られる。
文字認識部３２０では印刷画像データは文字領域分離部により文字領域と背景領域とに分離される。
分離された文字領域は、文字領域改竄部３３０で改竄される。文字領域改竄部３３０は文字領域分離部にて解析された文字データ情報に基づいて代用する文字をフォント蓄積部３４０から選別し、元の文字のポイントサイズとレイアウトに合わせて配列し改竄文字領域を生成する。
【００２２】
改竄された文字領域は、領域合成部３５０で背景領域と合成され、文字領域が改竄された画像データが生成される。
改竄された画像データは画像サンプル用としてデータ蓄積部２３０へ送られ蓄積される。
【００２３】
図３〜６に基づいて、画像改竄部２２０による具体的な文字領域の改竄例について説明する。
図３は、上部のベタ画像部に帯状の濃度ムラが発生した異常画像サンプルである。
印刷内容に社外秘の内容が含まれているので、このままでは第三者（コールセンター担当者やＣＥを含む）に異常画像サンプルとして見せることができない。
画像改竄部２２０のフォント蓄積部３４０に、例えば図４に示す変換テーブルを採用した場合、この変換テーブルに従って文字のみが改竄される。
図５は、文字領域改竄後の画像データを示している。
【００２４】
改竄された画像データはデータ蓄積部２３０に蓄積される。
図６はデータ蓄積部２３０に蓄積された改竄画像データ（異常画像サンプル）を出力したものである。
【００２５】
図７に基づいて、データ蓄積部２３０（データ蓄積装置）の構成・機能について詳細に説明する。
データ蓄積部２３０は２つの画像データ蓄積部４１０、４２０と、１つの印刷ジョブデータ蓄積部４３０とで構成されている。
印刷ジョブ毎に画像改竄部２２０で改竄された画像データは改竄画像データ蓄積部４１０に印刷ジョブと原稿頁毎にナンバリングされて蓄積される。
なお、改竄画像データ蓄積部４１０に蓄積される画像データサイズは大きいので、蓄積管理される印刷ジョブ数は極力少ない方が望ましい。
【００２６】
顧客による画像サンプルの読取り操作時、印刷された画像サンプルは画像読取り部２６０で読取り画像データに変換され、改竄画像データに対応したナンバリングが付加されて画像サンプルデータ蓄積部４２０に蓄積される。
操作部２４０から設定された画質、用紙サイズ、印刷部数等の設定値は、印刷条件設定値として印刷ジョブ毎にナンバリングされて印刷ジョブデータ蓄積部４３０に蓄積される。
ネットワークプリンタでは、ＰＣ（パーソナルコンピュータ）から設定された設定値が印刷条件設定値として同様に蓄積される。
また、印刷ジョブ毎の機内の温湿度、電位センサーの測定値、トナー濃度等のログデータが印刷ジョブ毎にナンバリングされて印刷条件設定値と同様に印刷ジョブデータ蓄積部４３０に蓄積される。
【００２７】
印刷ジョブの印刷枚数が定められた枚数以上の場合は、印刷開始時と終了時のログデータを蓄積するものとし、画像サンプルの印刷時もログデータを蓄積するものとする。
ログデータの蓄積方法の詳細については後述する。
【００２８】
異常画像通報時、顧客は画像サンプル用として印刷したい改竄画像データを操作部２４０に表示された印刷ジョブと原稿毎のナンバリングから選択する。
選択された改竄画像データが改竄画像データ蓄積部４１０から呼び出されると同時に印刷ジョブのナンバリングにリンクした印刷条件設置値が印刷ジョブデータ蓄積部４３０から呼び出される。
呼び出されたデータ及び設定値は画像形成部２５０に送られ、画像サンプルとして１部印刷される。
【００２９】
画像サンプルデータ蓄積部４２０に蓄積されている画像サンプルデータを異常画像の画像サンプルとし、改竄画像データ蓄積部４１０に蓄積されている改竄画像データを画像サンプルと比較するための原稿とする。
また、印刷ジョブデータ蓄積部４３０に蓄積されている印刷条件設置値とログデータを異常画像発生の要因解析のための参考データとし、これらを通信部２７０から保守区であるコールセンターの保守管理サーバーに配信する。
【００３０】
図８に基づいて、印刷ジョブ毎に実施されるログデータ蓄積処理について説明する。
異常画像発生時の要因解析の参考データとして使用されるログデータは、印刷過程で変化するものである。
従って、大量の印刷では印刷開始時点と終了時点では画像形成装置のコンディションが変化するため、印刷量に閾値を設けることにより、印刷ジョブ毎のログデータの蓄積回数を決定する。
図８の例では、印刷枚数の閾値を１００とし、印刷枚数が１００を超える印刷ジョブの場合は、印刷開始時と印刷終了時の２回（Ｓ１０１〜Ｓ１０４）、印刷枚数が１００以下の場合は、印刷開始時のみの１回ログデータを印刷ジョブデータ蓄積部４３０に蓄積する（Ｓ１０１、Ｓ１０３〜Ｓ１０４）。
表１と表２は印刷ジョブ毎の蓄積データのナンバリング例を示している。
【００３１】
【表１】
2015085533.tif 000003
【００３２】
【表２】
2015085533.tif 000004
【００３３】
表１の印刷ジョブＮｏ．の「Ｊｏｂ１Ｐ」は１番目の印刷ジョブでＰｒｉｎｔｅｒによる印刷を示す。ＣはＣｏｐｉｅｒ、ＦはＦＡＸとする。
表２の改竄画像データ蓄積部４１０欄の「Ｊｏｂ２Ｐ−１，Ｊｏｂ２Ｐ−２，・・・・・・・・・，Ｊｏｂ２Ｐ−１０」のハイフンの後の数字は原稿頁を示す。
この例では２番目の印刷ジョブで１０頁の原稿をプリンタで印刷したことを示している。
同じく表２の印刷ジョブデータ蓄積部４３０のログデータ欄の「Ｊｏｂ１Ｐ  Ｓｔａｒｔ，  Ｊｏｂ１Ｐ  Ｅｎｄ」は、Ｓｔａｒｔが印刷開始時でＥｎｄが印刷終了時のログデータを示す。
【００３４】
画像サンプルデータ蓄積部４２０の「Ｊｏｂ３Ｃ−２Ｓ」は、Ｊｏｂ３の２頁目の原稿で異常画像が発生した時の例であり、改竄画像データ蓄積部４１０のナンバーと区別するため最後にＳ（Ｓ：Ｓａｍｐｌｅ）を付加した。
また、画像サンプル印刷時のログデータも必要なので、画像サンプルデータと同じナンバーＪｏｂ３Ｃ−２Ｓで印刷ジョブデータ蓄積部４３０に蓄積される。
【００３５】
図９は、異常画像発生時に顧客が画像サンプルを送信する手順について説明する図である。
異常画像が発生した時、修理依頼をしたい顧客は先ず操作パネル（操作部２４０）のマニュアルコール画面から「異常画像通報」を押下する（Ｓ２０１〜Ｓ２０３）。
「異常画像通報」を押下すると、操作パネル上に「画像サンプルを送信しますか？」の表示がなされる（Ｓ２０４）。
「ＹＥＳ」を選択すると、直近の印刷ジョブ毎の頁ナンバーを表示するので異常画像が発生したジョブの頁ナンバーを選択後、「印刷」を押下する（Ｓ２０５）。
選択された印刷ジョブの頁に該当する改竄画像データと印刷条件設定値が呼び出され、画像サンプルの印刷が開始される（Ｓ２０７）。
【００３６】
印刷終了後「印刷されたサンプルを原稿台にセットして通報スタートを押下して下さい。」の表示がなされる。
「通報スタート」を押下すると、スキャナ機能により画像サンプルの読取りが開始される（Ｓ２０８）。
読取りが終了すると自動的に「改竄画像サンプル」と「改竄画像オリジナル」及び「印刷ジョブデータ」とがファイルとして送信される（Ｓ２０９）。
改竄画像サンプルは異常画像サンプルの読取りデータであり、改竄画像オリジナルは異常画像の発生元である改竄された原稿データである。
送信終了後「通報が完了しました。センターから電話がありますので暫くお待ち下さい。」の表示がなされる（Ｓ２１０）。
【００３７】
上記実施形態では、コールセンターにデータを送信して異常画像の原因を解析し、遠隔制御により修復を行う例を示したが、本発明はこれに限定されない。
スキャナを有しないプリンタの場合には、改竄された異常画像サンプルを印刷し、印刷された異常画像サンプルと印刷条件設定値等をＣＥが比較して原因を解析することにより、機密情報が漏れることなく修復が可能となる。
印刷された異常画像サンプルをファクシミリでコールセンターに送信して異常画像の原因を解析するようにしてもよい。
スキャナを有する場合には、スキャナは画像形成装置と一体である必要はなく、電気的に接続されたシステム構成であってもよい。
異常画像サンプルの読取りデータや印刷条件設定値等をＣＥがＰＣで受信可能な場合には、ＣＥがコールセンターとして機能することになる。
【符号の説明】
【００３８】
２２０  画像データ改竄手段としての画像改竄部
２３０  画像データ蓄積手段、条件データ蓄積手段又はサンプルデータ保存手段としてのデータ蓄積部
１０２  読取り手段としてのスキャナ
【先行技術文献】
【特許文献】
【００３９】
【特許文献１】特開２０００−１３２３６４号公報
【図１】
2015085533.tif 000005
【図２】
2015085533.tif 000006
【図３】
2015085533.tif 000007
【図４】
2015085533.tif 000008
【図５】
2015085533.tif 000009
【図６】
2015085533.tif 000010
【図７】
2015085533.tif 000011
【図８】
2015085533.tif 000012
【図９】
2015085533.tif 000013
【図１０】
2015085533.tif 000014